(57)【要約】【課題】  建造物室内における高度な清浄空間と照度の確保と維持しながら、作業効率の向上と、安全性を向上させるシステムを提供する。【解決手段】  全面吹き出し口の空気調和機に、手術室中央部の照度確保のために、吹き出し口にＬＥＤ照明装置を取付ける。その吹き出し口の気流の層流状態を確保維持するエアースタビライザー一体型のレールシステムを空気調和機の周囲に添設する。レールには、可動式エネルギー供給装置を組み込んで、層流状態を維持しながら必要照度を保持して、手術作業の効率と安全性を向上させる、エネルギー供給装置と高清浄度融合システムとする。【選択図】図２
2018179482.tif 000002
【特許請求の範囲】
【請求項１】
室内天井裏に埋設する空気調和機は、ＨＥＰＡフィルターが内装、エア吹き出し部は、天井を切り抜き室内に露出していて、複数個のＬＥＤ照明を添設、外枠四隅は、高さ伸長可能な角柱を設け、角柱間と天井沿いの空間には無色透明ボードを貼付けた、エアースタビライザー一体型レールが天吊りしている。
空気調和機から吹き出す清浄空気の気流が外に拡散無く下方に層流して、手術台周囲の清浄空気を安定維持することを特徴とする室内照明清浄度融合システム。
【請求項２】
請求項１、の室内清浄システムのエアースタビライザー一体型レール上を可動する、電源および医療ガスのエネルギーアウトレット、モニター、ペンダントを搭載したことを特徴とする、可動式エネルギー供給装置。
【発明の詳細な説明】
【技術分野】
【０００１】  本発明は、建造物室内の高清浄度空間と照度の維持を目的とした、室内の空気調和機および、それに付随した、エネルギー供給装置を融合したシステムに関する。
【背景技術】
【０００２】  以下、図１記載により、従来用いられている各種建造物の手術室に空気調和機およびエネルギー供給装置を取り付けるシステムについて説明する。
従来の空気調和機（以下、単に、「ＣＦＵ」という）による手術室の空気調和システムは各種建造物の天井１４にＣＦＵ１を埋設して、内壁１２には、吸引パネル５上部の天井１４裏にエア分岐ボックス３ａを添設して、吸引パネル５に接する下面は開口で吸引口３を設けている、吸引口３の上方にはエア分岐ボックス３ａが在り、エア配管４でＣＦＵ１に接続される。ＣＦＵ１はＨＥＰＡフィルター２を内蔵され、天井１４裏に埋設して在り、エア排出口１ａは天井１４を切り抜いている。
吸引パネル５には、室内空気の吸引口３が設けられており、吸引口３には、塵や埃を取り除く網を被せている。
すなわち、ＣＦＵ１の起動で吸い込んだ手術室１１のエアは、吸引パネル５の吸込口３の網を通過して上方（矢印方向）に吸い込まれエア分岐ボックス３ａとエア配管４を径由してＣＦＵ１に吸い込まれる、内部ＨＥＰＡフィルター２を介して天井１４のエア排出口１ａの吐出矢印６方向から手術室１１に吐出し、室内排出空気は排出矢印７の方向、吸引口３より排出されて手術室１１の室内空気を清浄還流している。吸引力はＣＦＵ１だけの動力で手術室１１の空気の還流を繰り返している。【０００３】  従来の空気調和システムは、ＣＦＵ１だけの動力で室内１１の清浄還流している。手術室内１１で使用する治療機器（以下、単に「ＭＥ機器」という）１７は、手術中は、執刀手術台１９の周囲に配置される。ＭＥ機器１７を作動させるための電源コンセント９や医療ガス１０等のアウトレットは、室内１１の壁面１２に埋設されている。また、天井には、シーリングペンダント１５やモニターアーム等が天吊設置される。それらのエネルギー供給は、壁面１２に埋設されている電源コンセント９や医療ガス１０等のアウトレットに接続ケーブルおよびホースを繋げる。
【先行技術文献】
【０００４】
【特許文献１】特開２０１３−１４８２４１
【発明が解決しようとする課題】
【０００５】  屋外機２１で吸い込まれた外気は、屋内、手術室１１の天井に埋設されたＣＦＵ１に通じて、内蔵されているＨＥＰＡフィルター１２を通過して、手術室１１に清浄空気（以下、単に「ＳＡ」という）６が吹き出される。
手術室内の空気は、手術室の壁下部に設置された吸込口３に、再び吸い込まれてＣＦＵ１に循環される．
この循環方式により、手術室１１は、清浄空間として維持される。
【０００６】  高清浄度の手術室空間を維持するには、ＳＡ量６を増やす必要がある。
ＳＡ量６を増やすと、ＣＦＵ１の吹き出し面以外の空間に、対流空気（以下、単にＣＡという）８が発生する。
このＣＡ８は、手術室床面１３から天井面に上昇する気流であるため、床面に堆積した塵や埃を上方へ、巻き上げる要因となる。
【０００７】  医療手術中に使用するＭＥ機器１７は、執刀手術台１９の周囲に配置され、電源コンセント９、医療ガス１０、等のアウトレットは、壁面１２に埋設され、他にシーリングペンダント１５、モニターアームに搭載のエネルギー供給装置は、天井に接続ケーブルおよびホースで繋げる。
【０００８】  医療スタッフ（看護師）は、清浄エリア内で術作業が行われ、執刀手術台１９の周囲で導線エリアを動き周り、手術に必要な物品を術者に供給している。
【０００９】  高清浄空間を維持するために、執刀手術台１９上部の天井１４に複数のＣＦＵ１を埋設している。
そのため手術室内の照明スペースが無く、執刀手術台１９から遠い天井面ＣＦＵ１の周囲に室内照明１８を配置されている。
【００１０】  従来の空気調和機システムでは、高清浄空間を維持するために、ＳＡ量６を増やす必要があります。ＳＡ量６を増やすことによりＣＡ８が発生して塵や埃を上昇、巻き上げる要因となり、手術に弊害を引き起こす。
【００１１】  又、医療スタッフの執刀手術台１９周辺での動きは、手術室壁面から供給される、接続ケーブル及び接続ホースの導線エリアであり、医療スタッフの足等を引っ掛けてしまい、医療事故を引き起こす危険性がある。
【００１２】  手術室の天井１４中央にＣＦＵ１が埋め込み設置されているので、室内照明１８は、その周囲に配置されるため、室内１１の中央に配置される執刀手術台１９周辺の照度が暗くなり手術に支障きたしている。
【課題を解決するための手段】
【００１３】  本発明の図２、図３記載より、手術室の天井１４に埋設するＣＦＵ１の吹き出し口１ａにＬＥＤ照明２０を複数個組み込んで手術台１９に必要な照度を確保する。
【００１４】  ＣＦＵ１外枠の内接四隅に高さの伸長できる角柱２１を天井１４から床１３方向に天吊り設置する。角柱２１四面には、エアースタビライザー一体型レールシステム（以下、単に「レールシステム」という）２２を添接する、更に、そのレールシステム２２には、レール可動式のエネルギー供給装置２３をレールに組み込む。レールシステム２２とＣＦＵ１内枠四隅の空きスペースには、無色透明ボード２４を四面組み込みＳＡ６がレールシステム２２の外に漏れないように閉じて、ＣＡ８を層流化して安定させる。
【００１５】  ＣＦＵ１の天井全面がＳＡ６の吹き出し口１ａとなり、下方、手術台１９に向かって清浄空気６を層流する。
【００１６】  四面閉じているレールシステム２２は、天井１４に吊られ、手術台１９上方に在り、ＣＦＵ１から吹き出されるＳＡ６の層流を保ちながら下方に向かい、手術台１９まで到達させる。
【００１７】  レールシステム２２に吊り込まれた、レール可動式のエネルギー供給装置２３には、電源等エネルギーが内蔵しており、ＭＥ機器１７と接続して、エネルギーを供給する。
【発明の効果】
【００１８】  ＣＦＵから吹き出すＳＡの増加により、清浄空気範囲外で発生するＣＡは、レールシステムの天吊りで層流化して安定するため、高清浄空間を維持する。依って、レールシステム内は、高清浄空間で維持される。
【００１９】  レールシステムに吊り込まれた、レール可動式のエネルギー供給装置により、壁面の接続ケーブル及びホースが無くなり、手術台周辺の煩雑さが解消される。
手術台周辺で作業する医療スタッフが、接続ケーブル及びホースを気にする必要が無くなり、作業性の向上と医療スタッフの足等を引っ掛けてしまう医療事故を引き起こす危険性が無くなる。
【００２０】  エアースタビライザー一体型レールシステムによって、レールシステム内の清浄空間の持続効果があるため、ＳＡ量の吹き出し量を減らすことが可能となり、手術患部への気流による悪影響を減らす効果がある。
【００２１】  ＳＡ量の減少により  ＣＦＵの稼働負荷が減り、術作業に障害となるＣＦＵから発生する騒音を、低減させることができる。
【００２２】  ＣＦＵの吹き出し口にＬＥＤ照明を組み込むことにより、手術室中央部の手術台に必要な照度の確保が容易となる。
【図面の簡単な説明】
【００２３】
【図１】従来の手術室内空気調和機システム図。
【図２】本発明の手術室内空気調和機システム図。
【図３】本発明の床視天井等角斜視図。
【図４】本発明の手術室内透視投影図。
【発明を実施するための形態】
【００２４】  従来の空気調和システムでは、高清浄空間を維持するために、ＳＡ量を増やす必要があり、それによって対流空気が発生して、高清浄空間の維持が困難になっていた。
【００２５】  エアースタビライザー一体型レールシステムにより、対流空気の影響を排除し、高清浄空間維持のためのＳＡ量を抑えることができ、ＣＦＵからの騒音低減も可能となる。
【００２６】  エアースタビライザー一体型レールシステムに組み込まれたレール可動式のエネルギー供給装置により、従来のエネルギー供給する際に必要であった、床面に接続ケーブル及びホースが無くなり、手術台周辺で作業する医療スタッフの作業効率の向上及び医療事故の発生を減らすことができる。
【００２７】  エアースタビライザー一体型レールシステムに組み込まれた、レール可動式エネルギー供給装置によって、術式変更に伴う、エネルギー供給装置の位置が３６０°対応可能となり、広い範囲で使用可能となる。
【００２８】  ＣＦＵの吹き出し口にＬＥＤ照明装置の組み込みによって、手術室中央部に配置の手術台に、必要な照度の確保が容易となる。
【符号の説明】
【００２９】  １：ＣＦＵ
１ａ：エア排出口
２：ＨＥＰＡフィルター
３：吸引口
３ａ：エア分岐ボックス
４：エア配管
５：吸引パネル
６：吐出矢印、ＳＡ
７：排出矢印
８：ＣＡ
９：電源コンセント
１０：医療ガス
１１：手術室
１２：壁面
１３：手術室床面
１４：天井
１５：シーリングペンダント
１６：モニター
１７：ＭＥ機器
１８：照明
１９：手術台
２０：ＬＥＤ照明
２１：角柱
２２：エアースタビライザー一体型レールシステム
２３：エネルギー供給装置
２４：透明ボード
【図１】
2018179482.tif 000003
【図２】
2018179482.tif 000004
【図３】
2018179482.tif 000005
【図４】
2018179482.tif 000006
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
室内天井の裏に埋設され、かつＨＥＰＡフィルターが内装されている空気調和機と、該空気調和機の外枠の四隅に天吊りされている４つの角柱と、該角柱の２つに接続されているレールを備えたエアースタビライザー一体型レールとを有する空気調和システムであって、
前記空気調和機は、清浄空気の吹き出し口が前記室内天井に配置され、かつ該吹き出し口に複数個のＬＥＤ照明装置が組み込まれ、
前記エアースタビライザー一体型レールは、前記レールにおける床面に対向する部分がレール可動式の部材を吊り下げて動かせるように形成され、かつ前記レールと前記空気調和機との間に組み込まれた無色透明ボードを有し、
該無色透明ボード、前記レールおよび前記角柱が前記空気調和機を取り囲み、かつ前記清浄空気が外に漏れないように設置されていることを特徴とする空気調和システム。
【請求項２】
手術室内で使用される治療機器を作動させるための電源コンセントまたは医療ガスのアウトレットを備えたレール可動式のエネルギー供給装置が前記エアースタビライザー一体型レールの前記レールに組み込まれている請求項１記載の空気調和システム。
【手続補正２】
【補正対象書類名】明細書
【補正対象項目名】全文
【補正方法】変更
【補正の内容】
【発明の詳細な説明】
【技術分野】
【０００１】
本発明は、建造物室内の高清浄度空間と照度の維持を目的とした、室内の空気調和機および、それに付随した、エネルギー供給装置による空気調和システムに関する。
【背景技術】
【０００２】
以下、図１の記載により、従来用いられている各種建造物の手術室における空気調和機およびエネルギー供給装置による空気調和システムについて説明する。
【０００３】
従来、空気調和機（以下、単に、「ＣＦＵ」という）による手術室の空気調和システムでは、各種建造物の天井１４にＣＦＵ１が埋設されて、壁面１２の、吸引パネル５の上部の天井１４の裏にエア分岐ボックス３aが添設されるとともに、吸引パネル５に接する下面は開口であり、吸引口３が設けられている。また、吸引口３の上方のエア分岐ボックス３ａがエア配管４を介してＣＦＵ１に接続されている。ＣＦＵ１はＨＥＰＡフィルター２を内蔵し、天井１４の裏に埋設されており、エア排出口１ｂが天井１４を切り抜いて設けられている。
【０００４】
吸引パネル５には、室内空気の吸引口３が設けられているが、その吸引口３には、塵や埃を取り除く網（図示せず）が被せられている。
【０００５】
そして、ＣＦＵ１の起動で吸い込まれた手術室１１のエアは、吸引パネル５の吸込口３の網を通過して上方（矢印方向）に吸い込まれ、エア分岐ボックス３aとエア配管４を径由してＣＦＵ１に吸い込まれて、内部のＨＥＰＡフィルター２を介して天井１４のエア排出口１ｂから吐出矢印６Ａの方向に手術室１１に吐出される。また、室内排出空気は排出矢印７の方向に吸引口３より排出されており、手術室１１の室内空気の清浄還流がなされている。ＣＦＵ１だけの動力で得られた吸引力が手術室１１の空気の還流を繰り返している。
【０００６】
従来の空気調和システムは、ＣＦＵ１だけの動力で手術室１１内の清浄還流をしている。手術室１１内で使用される治療機器（以下、単に「ＭＥ機器」という）１７は、手術中は、執刀手術台１９の周囲に配置される。ＭＥ機器１７を作動させるための電源コンセント９や医療ガス１０等のアウトレットは、手術室１１内の壁面１２に埋設されている。また、天井１４には、シーリングペンダント１５やモニターアーム等が天吊設置される。壁面１２に埋設されている電源コンセント９や医療ガス１０等のアウトレットに接続ケーブルおよびホースを繋げてそれらにエネルギー供給がなされる。
【先行技術文献】
【特許文献】
【０００７】
【特許文献１】特開2013-148241
【発明の概要】
【発明が解決しようとする課題】
【０００８】
屋外機２１で吸い込まれた外気は、屋内、手術室１１の天井に埋設されたＣＦＵ１に通じて、内蔵されているＨＥＰＡフィルター２を通過して、手術室１１に清浄空気（以下、単に「ＳＡ」という）６が吹き出される。
【０００９】
手術室１１内の空気は、手術室１１の壁面１２の下部に設置された吸込口３に、再び吸い込まれてＣＦＵ１に循環される。この循環方式により、手術室１１は、清浄空間として維持される。
【００１０】
高清浄度の手術室空間を維持するには、ＳＡ６の量を増やす必要がある。ＳＡ６の量を増やすと、ＣＦＵ１の吹き出し面以外の空間に、対流空気（以下、単にＣＡという）８が発生する。このＣＡ８は、手術室１１の床面１３から天井１４に上昇する気流であるため、床面１３に堆積した塵や埃を上方へ巻き上げる要因となる。
【００１１】
医療手術中に使用するＭＥ機器１７は、執刀手術台１９の周囲に配置され、電源コンセント９、医療ガス１０、等のアウトレットは、壁面１２に埋設され、他にシーリングペンダント１５、モニターアームに搭載のエネルギー供給装置は、天井１４に接続ケーブルおよびホースで繋げる。
【００１２】
医療スタッフ（看護師）は、清浄エリア内で術作業が行われるため、執刀手術台１９の周囲で導線エリアを動き周り、手術に必要な物品を術者に供給している。
【００１３】
また、従来、高清浄空間を維持するために、執刀手術台１９上部の天井１４に複数のＣＦＵ１が埋設されている。そのため、手術室１１内に照明スペースが無く、執刀手術台１９から遠い天井１４のＣＦＵ１の周囲に室内照明１８が配置されている。
【００１４】
従来の空気調和システムでは、高清浄空間を維持するためにはＳＡ６の量を増やす必要がある。ＳＡ６の量を増やすことにより、ＣＡ８が発生して塵や埃を上昇、巻き上げる要因となり、手術に弊害を引き起こす。
【００１５】
又、医療スタッフの執刀手術台１９周辺での動きは、手術室１１の壁面１２から供給される、接続ケーブル及び接続ホースの導線エリアでなされるから、医療スタッフが足等を引っ掛けてしまい、医療事故を引き起こすおそれもある。
【００１６】
手術室１１の天井１４の中央にＣＦＵ１が埋め込み設置されているので、室内照明１８は、その周囲に配置される。そのため、手術室１１の中央に配置される執刀手術台１９の周辺の照度が暗くなり手術に支障をきたしている。
【課題を解決するための手段】
【００１７】
本発明は、室内天井の裏に埋設され、かつＨＥＰＡフィルターが内装されている空気調和機と、その空気調和機の外枠の四隅に天吊りされている４つの角柱と、その角柱の２つに接続されているレールを備えたエアースタビライザー一体型レールとを有する空気調和システムであって、空気調和機は、清浄空気の吹き出し口が室内天井に配置され、かつその吹き出し口に複数個のＬＥＤ照明装置が組み込まれ、エアースタビライザー一体型レールは、レールにおける床面に対向する部分がレール可動式の部材を吊り下げて動かせるように形成され、かつレールと空気調和機との間に組み込まれた無色透明ボードを有し、その無色透明ボード、レールおよび角柱が空気調和機を取り囲み、かつ清浄空気が外に漏れないように設置されている空気調和システムを提供する。
【００１８】
また、上記空気調和システムは、手術室内で使用される治療機器を作動させるための電源コンセントまたは医療ガスのアウトレットを備えたレール可動式のエネルギー供給装置がエアースタビライザー一体型レールのレールに組み込まれていることが好ましい。
【発明の効果】
【００１９】
ＣＦＵから吹き出すＳＡの増加に伴い清浄空気範囲外で発生するＣＡは、エアースタビライザー一体型レールが天吊りされていることで層流化して安定するため、高清浄空間が維持される。依って、エアースタビライザー一体型レール内は高清浄空間が維持される。
【００２０】
エアースタビライザー一体型レールに吊り込まれた、レール可動式のエネルギー供給装置を有することにより、壁面の接続ケーブル及び接続ホースを無くすことができるため、執刀手術台周辺の煩雑さが解消される。
【００２１】
そのため、執刀手術台の周辺で作業する医療スタッフが、接続ケーブル及び接続ホースを気にする必要が無くなって作業性が向上し、医療スタッフが足等を引っ掛けてしまう医療事故を引き起こすおそれも無くなる。
【００２２】
エアースタビライザー一体型レールによって、その内部の清浄空間の持続効果があるため、ＳＡの吹き出し量を減らすことが可能となり、手術患部への気流による悪影響を減らす効果がある。
【００２３】
ＳＡの量が減少することにより、ＣＦＵの稼働負荷が減り、術作業に障害となるＣＦＵから発生する騒音を低減させることができる。
【００２４】
ＣＦＵの吹き出し口にＬＥＤ照明装置が組み込まれていることにより、手術室中央部の執刀手術台に必要な照度の照明を確保することが容易となる。
【図面の簡単な説明】
【００２５】
【図１】従来の手術室内の空気調和システムを示す図である。
【図２】本発明の手術室内の空気調和システムを示す図である。
【図３】本発明の床視天井等角斜視図である。
【図４】本発明の手術室内透視投影図である。
【発明を実施するための形態】
【００２６】
本発明の空気調和システムについて、図２〜図４を参照して説明する。本発明の空気調和システムでは、図２〜図４に示されているように、手術室１１における執刀手術台１９の上部の天井１４にＣＦＵ１が埋設されてそのＣＦＵ１の吹き出し口１ａが天井１４に配置され、その吹き出し口１ａにＬＥＤ照明装置２０が複数個組み込まれているから、執刀手術台１９に必要な照度の照明が執刀手術台１９の上部に確保されている。
【００２７】
そして、ＣＦＵ１の外枠の四隅にそれぞれ高さの伸長できる４つの角柱２１が天井１４から床面１３の方向に天吊り設置されている。また、角柱２１にエアースタビライザー一体型レール（以下、単に「レールシステム」という）２２が添接されている。レールシステム２２は、２つの角柱２１に接続されている真っすぐな部材であって、その２つの角柱２１につながり、かつ床面１３に対向する部分が、レール可動式のエネルギー供給装置２３を吊り下げて動かせるように形成されているレールを４つ有し、そのレールの少なくとも一つにそのレール可動式のエネルギー供給装置２３が組み込まれている。
【００２８】
さらに、レールシステム２２は、レールとＣＦＵ１との間のスペースに組み込まれた無色透明ボード２４を備えており、その無色透明ボード２４とレールおよび角柱２１がＣＦＵ１を取り囲み、かつＳＡ６が無色透明ボード２４とレールおよび角柱２１の外に漏れないように設置されていることによって、ＳＡ６がレールシステム２２の外に漏れないようになり、その結果、ＣＡ８が層流化して安定する。
【００２９】
本発明では、ＣＦＵ１の天井１４に配置されている全面がＳＡ６の吹き出し口１ａとなり、下方、執刀手術台１９に向かってＳＡ６を層流する。
【００３０】
また、ＣＦＵ１を四面で囲むようにレールシステム２２の無色透明ボード２４が執刀手術台１９上方の天井１４に吊られているため、ＣＦＵ１から吹き出されるＳＡ６を層流を保ちながら下方に向かわせ、執刀手術台１９まで到達させる。
【００３１】
レールシステム２２に組み込まれて吊り下げられたレール可動式のエネルギー供給装置２３には、手術室内で使用されるＭＥ機器１７を作動させるための電源コンセント９や医療ガス１０等のアウトレットが内蔵されており、ＭＥ機器１７に接続されてエネルギーや医療ガスを供給する。
【００３２】
従来の空気調和システムでは、高清浄度の手術室空間を維持するために、ＳＡ６の量を増やす必要があり、それによってＣＡ８が発生して、高清浄度の手術室空間の維持が困難になっていた。
【００３３】
そこで、本発明では、レールシステム２２により、ＣＡ８の影響を排除し、高清浄度の手術室空間を維持するためのＳＡ６の量を抑えることができ、ＣＦＵ１からの騒音低減も可能となる。
【００３４】
また、レールシステム２２に組み込まれたレール可動式のエネルギー供給装置２３により、従来、エネルギー供給に必要であった、床面１３の接続ケーブル及び接続ホースが無くすことができるため、執刀手術台１９の周辺で作業する医療スタッフの作業効率を向上させて医療事故の発生を減らすことができる。
【００３５】
さらに、レールシステム２２に組み込まれたレール可動式エネルギー供給装置２３によって、術式変更に伴う、エネルギー供給装置２３の位置変更が３６０°対応可能となるため、ＭＥ機器１７が広い範囲で使用可能となる。
【００３６】
ＣＦＵ１の吹き出し口１ａに複数のＬＥＤ照明装置２０が組み込まれていることによって、手術室１１中央部に配置の執刀手術台１９において、必要な照度の照明を確保することが容易となる。
【符号の説明】
【００３７】
１：ＣＦＵ  １ａ：吹き出し口  １ｂ：エア排出口  ２：ＨＥＰＡフィルター  ３：吸引口  ３ａ：エア分岐ボックス  ４：エア配管  ５：吸引パネル  ６：ＳＡ  ７：排出矢印  ８：ＣＡ  ９：電源コンセント  １０：医療ガス  １１：手術室  １２：壁面  １３：床面  １４：天井  １５：シーリングペンダント  １６：モニター  １７：ＭＥ機器  １８：室内照明  １９：執刀手術台  ２０：ＬＥＤ照明装置  ２１：角柱  ２２：レールシステム  ２３：エネルギー供給装置  ２４：透明ボード
【手続補正３】
【補正対象書類名】図面
【補正対象項目名】図１
【補正方法】変更
【補正の内容】
【図１】
2018179482.tif 000007